(57)【要約】      （修正有）【課題】構造が簡単で、使用が簡便なロック具を提供する。【解決手段】ハウジングセット１０、暗証番号セット２０、駆動材３０、圧縮バネ４０、係止材５０、２つの係合材６０及びロック解除材７０を含むロック具であり、暗証番号セット２０、駆動材３０、圧縮バネ４０、係止材５０、２つの係合材６０及びロック解除材７０がハウジングセット１０の内部に装設され、係止材５０及び２つの係合材６０の一部がハウジングセット１０から突出する。ハウジングセット１０に係止溝を有する収容シェル１１が設けられ、駆動材３０に係止ブロックを有する回転盤が設けられて、係止材５０が回転盤上に結合し、ユーザは収容シェル１１を回動することにより係止材５０を回転させて、ロック具のロック状態を切り換えることができる。【選択図】図３
0003206328.tif 000002
【実用新案登録請求の範囲】
【請求項１】
収容シェルを含み、前記収容シェルの内部に収容室が設けられ、前記収容室が前記収容シェルの外部に連通し、前記収容室の周壁に少なくとも１つの係止溝が設けられるハウジングセットと、
前記収容シェルの内部に装設される暗証番号セットと、
前記収容シェルの内部に装設され、かつ、ロッド体及び回転盤を含み、前記ロッド体は、前記暗証番号セットを貫通し、かつ、前記暗証番号セットから突出した端部を有し、前記回転盤は、同軸で前記ロッド体の端部に接続設置され、かつ、周面及び側面を有し、前記回転盤の側面と前記ロッド体とは前記回転盤の反対側に設けられ、前記回転盤は、４つの第１係合部及び少なくとも１つの係止ブロックを含み、４つの前記第１係合部は２つずつ対向して前記回転盤の側面に設けられ、前記係止ブロックは前記回転盤の周面に凸設され、前記回転盤は前記収容室に装設され、前記回転盤の係止ブロックと前記収容室の係止溝とが互いに係合する駆動材と、
前記収容シェルの内部に装設され、かつ、前記ロッド体を貫通し、両端を有し、一端が前記暗証番号セットに当接し、他端が前記回転盤に当接する圧縮バネと、
前記収容シェルの内部に装設され、かつ、両端を有し、一端が同軸で前記回転盤に設けられ、かつ、連接ロッド及び矩形を呈する係止ブロックを含み、前記連接ロッドは前記収容シェルから突出する端部を有し、前記係止ブロックは、前記連接ロッドの端部に設けられ、かつ、前記回転盤から離間し、前記係止ブロックと前記連接ロッドとがＴ字形構造を形成する係止材と、
前記収容シェルの内部に装設され、かつ、前記係止材の両側に位置合わせする２つの係合材であって、２つの前記係合材は対称であり、各係合材は、両端を有し、かつ、一端が前記回転盤を向き、各係合材はスラスト当接段及び位置制限柱を含み、前記スラスト当接段は、前記係合材の前記回転盤を向いた一端に設けられ、かつ、前記回転盤に面した端面を有し、前記スラスト当接段は端面に第２係合部が設けられ、前記位置制限柱は前記係合材の他端に設けられ、２つの前記係合材の第２係合部と対向設置される２つの前記第１係合部とが相互に凹凸係合し、２つの前記係合材の位置制限柱が、前記係止ブロックと平行、かつ、前記係止ブロックに近接して前記連接ロッドの一方の側を向いている２つの係合材と、を含む、ロック具。
【請求項２】
前記４つの第１係合部は、前記回転盤の側面に凹設され、前記２つの係合材の第２係合部が２つの前記係合材のスラスト当接段の端面に凸設される、請求項１に記載のロック具。
【請求項３】
前記駆動材の回転盤に短柱状の結合部が設けられ、前記結合部は、前記回転盤の軸心箇所に設けられ、かつ、挟持溝を含み、前記挟持溝は、貫通方向に沿って延伸して前記結合部の対向する両側を貫通し、前記係止材に挟持ブロックが設けられ、前記挟持ブロックと前記係止ブロックとは前記係止材の両端に設けられ、前記挟持ブロックは前記挟持溝に装設され、各係合材のスラスト当接段に収容溝が設けられ、前記収容溝は、前記結合部に対応して設置され、かつ、前記スラスト当接段の端面から凹設され、前記結合部は２つの前記係合材のスラスト当接段の収容溝に収容される、請求項２に記載のロック具。
【請求項４】
各第１係合部は、互いに９０°離隔し、かつ、前記回転盤の周面から前記結合部まで延伸し、対向する２つの前記第１係合部の設置方向は前記挟持溝の貫通方向と同一である、請求項３に記載のロック具。
【請求項５】
前記収容室に２つの係止溝が設けられ、２つの前記係止溝はそれぞれ前記収容室の周壁の対向する両側に位置し、前記回転盤の係止ブロックは２つ設けられ、２つの前記係止ブロックはそれぞれ前記回転盤の周面の対向する両側に凸設される、請求項４に記載のロック具。
【請求項６】
各係合材は、突合せ面を有し、かつ、接続段及び収容溝を含み、前記接続段は、前記係合材のスラスト当接段の前記第２係合部から離間した一端に接続設置され、前記位置制限柱は前記接続段から凸設され、前記収容溝が、前記係合材の突合せ面に凹設され、かつ、前記スラスト当接段の収容溝に連通し、前記収容溝は前記位置制限柱まで延伸し、前記係止材の連接ロッドが２つの前記係合材の収容溝に収容される、請求項５に記載のロック具。
【請求項７】
各係合材は、係止柱及び係止孔を含み、前記係止柱と前記係止孔とは前記係合材の収容溝の両側に位置し、前記係止柱は前記係合材の突合せ面から凸設され、前記係止孔は前記係合材の突合せ面から凹設され、２つの前記係合材の係止柱と係止孔とが互いに係合する、請求項６に記載のロック具。
【請求項８】
前記収容シェルは、２つのシェル体が突き合わされてなり、各シェル体は収容段を含み、前記収容段は、外壁を有し、かつ、収容溝及び２つの切欠きを含み、２つの前記切欠きの位置は対向し、かつ、前記収容段の外壁の内側に設けられ、２つの前記収容段の収容溝が前記収容室を形成し、２つの前記収容段の２つの切欠きが前記２つの係止溝を形成する、請求項７に記載のロック具。
【請求項９】
各シェル体の収容段は視認窓を含み、前記視認窓は前記収容段の外壁に貫設され、各係合材のスラスト当接段は識別マークを含み、前記識別マークは前記シェル体の収容段の視認窓に対応して設置される、請求項８に記載のロック具。
【考案の詳細な説明】
【技術分野】
【０００１】
本考案は暗証番号錠に関するものであり、特に構造が簡単で使用が簡便なロック具を指している。
【背景技術】
【０００２】
科学技術の日々の進歩に伴い、ノート型パソコンの体積及び重量も日々低減しており、益々多くのユーザがノート型パソコンを図書館やカフェの類の公共場所に携帯して使用したいと望んでいるが、ノート型パソコンは日々軽薄化しているため、ひとたびユーザが短時間でも席を離れると、一時的に席に置いていたノート型パソコンが誰かに盗まれて持ち去られる事態も発生する。そのため、一般にユーザは長らく図１２に示されているような本体８１及びケーブル８２を含むロック具８０を購入し、ユーザが本体８１をノート型パソコンのロック孔上に固定するとともに、ケーブル８２を固定物上に巻き付けてノート型パソコンが盗難される状況の発生を回避してきた。
【０００３】
台湾実用新案登録第Ｍ２８４７３７号（特許文献１）で開示されているロック具は、ロックコア、バネ、制動材、制御ボタン及びストッパを含み、バネがロックコアと制動材との間に設けられ、制動材の先端に２つの位置制限フランジが設けられ、かつ、側辺に制御ボタンが設置され、ストッパは制動材の前方に設けられ、この種のロック具はストッパを利用してノート型パソコンに設けられているロック孔に係止され、ロックコアの暗証番号が正確に設定されていないと、制動材がロックコアの制限を受けて後退不能となり、かつ、制動材の先端に設けられている２つの位置制限フランジを利用して、ノート型パソコンのロック孔に貫設させ、ロック具が回動せずストッパがノート型パソコンのロック孔から退出不能となり、ロックコアの暗証番号が正確であると、ユーザが制御ボタンを押して制動材を後退させて、制動材の２つの位置制限フランジをノート型パソコンのロック孔から退出させ、さらにロック具を回転させてストッパをノート型パソコンのロック孔から退出させることが可能となる。
【先行技術文献】
【特許文献】
【０００４】
【特許文献１】台湾実用新案登録第Ｍ２８４７３７号公報
【考案の概要】
【考案が解決しようとする課題】
【０００５】
しかし、このタイプのロック具は、部品が比較的多く、かつ、構造も比較的複雑であるため、部品の製造コストが比較的高く、ロック具の組立時にも時間がやや費やされるため、製品の市場における競争力がやや不足することになっている。
【課題を解決するための手段】
【０００６】
従来のロック具の製造コストが比較的高く、組み立てにも時間が掛かり、市場競争力が低下しているとの問題を解決するため、本考案では、ロック具の駆動材上にハウジングに伴い回動可能な回転盤が設置され、回転盤と同時に回動可能な係止材が設けられているとともに、回転盤の回動を制限可能な２つの係合材が設置されており、ロック具の部品数量を低減し、組み立ての速度を速めることができ、かつ、コストは削減される。
【０００７】
本考案が技術的問題を解決するために提出しているロック具は、
収容シェルを含み、前記収容シェルの内部に収容室が設けられ、前記収容室が前記収容シェルの外部に連通し、前記収容室の周壁に少なくとも１つの係止溝が設けられるハウジングセットと、
前記収容シェルの内部に装設される暗証番号セットと、
前記収容シェルの内部に装設され、かつ、ロッド体及び回転盤を含み、前記ロッド体は、前記暗証番号セットを貫通し、かつ、前記暗証番号セットから突出した端部を有し、前記回転盤は、同軸で前記ロッド体の端部に接続設置され、かつ、周面及び側面を有し、前記回転盤の側面と前記ロッド体とは前記回転盤の反対側に設けられ、前記回転盤は、４つの第１係合部及び少なくとも１つの係止ブロックを含み、４つの前記第１係合部は２つずつ対向して前記回転盤の側面に設けられ、前記係止ブロックは前記回転盤の周面に凸設され、前記回転盤は前記収容室に装設され、前記回転盤の係止ブロックと前記収容室の係止溝とが互いに係合する駆動材と、
前記収容シェルの内部に装設され、かつ、前記ロッド体を貫通し、両端を有し、一端が前記暗証番号セットに当接し、他端が前記回転盤に当接する圧縮バネと、
前記収容シェルの内部に装設され、かつ、両端を有し、一端が同軸で前記回転盤に設けられ、かつ、連接ロッド及び矩形を呈する係止ブロックを含み、前記連接ロッドは前記収容シェルから突出する端部を有し、前記係止ブロックは、前記連接ロッドの端部に設けられ、かつ、前記回転盤から離間し、前記係止ブロックと前記連接ロッドとがＴ字形構造を形成する係止材と、
前記収容シェルの内部に装設され、かつ、前記係止材の両側に位置合わせする２つの係合材であって、２つの前記係合材は対称であり、各係合材は、両端を有し、かつ、一端が前記回転盤を向き、各係合材はスラスト当接段及び位置制限柱を含み、前記スラスト当接段は、前記係合材の前記回転盤を向いた一端に設けられ、かつ、前記回転盤に面下端面を有し、前記スラスト当接段は端面に第２係合部が設けられ、前記位置制限柱は前記係合材の他端に設けられ、２つの前記係合材の第２係合部と対向設置される２つの前記第１係合部とが相互に凹凸係合し、２つの前記係合材の位置制限柱が、前記係止ブロックと平行、かつ、前記係止ブロックに近接して前記連接ロッドの一方の側を向いている２つの係合材と、を含む。
【０００８】
前記ロック具において、前記４つの第１係合部は、前記回転盤の側面に凹設され、前記２つの係合材の第２係合部が２つの前記係合材のスラスト当接段の端面に凸設される。
【０００９】
前記ロック具において、前記駆動材の回転盤に短柱状の結合部が設けられ、前記結合部は、前記回転盤の軸心箇所に設けられ、かつ、挟持溝を含み、前記挟持溝は、貫通方向に沿って延伸して前記結合部の対向する両側を貫通し、前記係止材に挟持ブロックが設けられ、前記挟持ブロックと前記係止ブロックとは前記係止材の両端に設けられ、前記挟持ブロックは前記挟持溝に設けられ、各係合材のスラスト当接段に収容溝が装設され、前記収容溝は、前記結合部に対応して設置され、かつ、前記スラスト当接段の端面から凹設され、前記結合部は２つの前記係合材のスラスト当接段の収容溝に収容される。
【００１０】
前記ロック具において、各第１係合部は、互いに９０°離隔し、かつ、前記回転盤の周面から前記結合部まで延伸し、対向する２つの前記第１係合部の設置方向は前記挟持溝の貫通方向と同一である。
【００１１】
前記ロック具において、前記収容室に２つの係止溝が設けられ、２つの前記係止溝はそれぞれ前記収容室の周壁の対向する両側に位置し、前記回転盤の係止ブロックは２つ設けられ、２つの前記係止ブロックはそれぞれ前記回転盤の周面の対向する両側に凸設される。
【００１２】
前記ロック具において、各係合材は、突合せ面を有し、かつ、接続段及び収容溝を含み、前記接続段は、前記係合材のスラスト当接段の前記第２係合部から離間した一端に接続設置され、前記位置制限柱は前記接続段から凸設され、前記収容溝が、前記係合材の突合せ面に凹設され、かつ、前記スラスト当接段の収容溝に連通し、前記収容溝は前記位置制限柱まで延伸し、前記係止材の連接ロッドが２つの前記係合材の収容溝に収容される。
【００１３】
前記ロック具において、各係合材は、係止柱及び係止孔を含み、前記係止柱と前記係止孔とは前記係合材の収容溝の両側に位置し、前記係止柱は前記係合材の突合せ面から凸設され、前記係止孔は前記係合材の突合せ面から凹設され、２つの前記係合材の係止柱と係止孔とが互いに係合する。
【００１４】
前記ロック具において、前記収容シェルは、２つのシェル体が突き合わされてなり、各シェル体は収容段を含み、前記収容段は、外壁を有し、かつ、収容溝及び２つの切欠きを含み、２つの前記切欠きの位置は対向し、かつ、前記収容段の外壁の内側に設けられ、２つの前記収容段の収容溝が前記収容室を形成し、２つの前記収容段の２つの切欠きが前記２つの係止溝を形成する。
【００１５】
前記ロック具において、前記各シェル体の収容段は視認窓を含み、前記視認窓は前記収容段の外壁に貫設され、各係合材のスラスト当接段は識別マークを含み、前記識別マークは前記シェル体の収容段の視認窓に対応して設置される。
【考案の効果】
【００１６】
本考案の技術的手段が獲得可能な増進効果は以下の通りである。
【００１７】
１．本考案のロック具は、収容シェルの収容室の係止溝を利用して回転盤に設けられた係止ブロックを係合し、かつ、回転盤と同時に回動可能な係止材及び回転盤の回動を制限するための係合材が設けられており、ユーザが収容シェルを回動させると係止材を回転させ、ロック具のロック状態を切り換えることができるため、本考案の部品数量を低減し、組み立て速度を速め、かつ、コストを削減することができ、市場における競争面で比較的優位性を備えている。
【００１８】
２．本考案では収容シェルに視認窓が設けられ、係合材に視認窓に対応した識別マークが設けられ、ユーザが前記係止材の係止ブロックの方向を識別し、ロック具がロック状態にあるか否かを確認することができる。
【図面の簡単な説明】
【００１９】
【図１】図１は本考案における好適な実施例の外観立体図である。
【図２】図２は本考案における好適な実施例の局部断面図である。
【図３】図３は本考案における好適な実施例の局部部品の分解図である。
【図４】図４は本考案における好適な実施例の細部部品の分解図である。
【図５】図５は本考案における好適な実施例の係合材の外観立体図である。
【図６】図６は本考案における好適な実施例の断面図である。
【図７】図７は本考案における好適な実施例の使用時の動作概略図である。
【図８】図８は本考案における好適な実施例の使用時の動作概略図である。
【図９】図９は本考案における好適な実施例の使用時の動作概略図である。
【図１０】図１０は本考案における好適な実施例の使用時の動作概略図である。
【図１１】図１１は本考案における好適な実施例の使用時の動作概略図である。
【図１２】図１２は従来のロック具の実施概略図である。
【考案を実施するための形態】
【００２０】
本考案の技術的な特徴及び実用的な効果を詳細に理解するとともに、考案内容に基づき実現することができるように、ここではさらに図面に示されている好適な実施例により、以下の通り詳細に説明する。
【００２１】
図１、図２及び図３に示されている通り、本考案のロック具は、ハウジングセット１０、暗証番号セット２０、駆動材３０、圧縮バネ４０、係止材５０、２つの係合材６０及びロック解除材７０を含み、前記暗証番号セット２０、前記駆動材３０、前記圧縮バネ４０、前記係止材５０、２つの前記係合材６０及び前記ロック解除材７０は、前記ハウジングセット１０の内部に装設され、前記係止材５０及び２つの前記係合材６０の一部が前記ハウジングセット１０から突出する。
【００２２】
図１、図２及び図３に示されている通り、前記ハウジングセット１０は、収容シェル１１、嵌合締結材１２、係止リング１３、ガスケット１４及びケーブル１５を含み、前記収容シェル１１は、両端、通路、収容室及びロック解除材収容室を有し、前記通路は、前記収容シェルの一端に横向きに設けられ、かつ、前記収容シェル１１の外部に連通し、前記収容室は、前記収容シェル１１の内部に設けられ、かつ、前記通路に連通し、前記収容室の周壁に２つの係止溝が設けられ、２つの前記係止溝は前記収容室の周壁の対向側に位置し、前記収容シェル１１は２つのシェル体１１１を含み、２つの前記シェル体１１１構造が略対称であり、各シェル体１１１は、装設段１１１１、収容段１１１２及び嵌合段１１１３を含み、前記装設段１１１１は、両端を有し、かつ、一端にロック解除材収容溝１１１１１が設けられ、前記収容段１１１２は前記装設段１１１１の他端に接続設置され、前記収容段１１１２は、両端及び外壁を有し、かつ、収容溝１１１２１、２つの切欠き１１１２２及び視認窓１１１２３を含み、前記収容溝１１１２１は前記装設段１１１１の内部に連通し、２つの前記切欠き１１１２２の位置は対向し、かつ、前記収容段１１１２の外壁の内側に設けられ、前記視認窓１１１２３は前記収容段１１１２の外壁に貫設され、前記嵌合段１１１３は前記収容段１１１２に接続設置され、前記嵌合段１１１３と前記装設段１１１１とは前記収容段１１１２の対向する両端に位置し、前記嵌合段１１１３は、外周面を有し、かつ、凹溝及びリング係止溝１１１３１を含み、前記凹溝は前記収容溝１１１２１に連通し、前記リング係止溝１１１３１は、前記嵌合段１１１３の外周面に凹設され、かつ、前記収容段１１１２から離間し、２つの前記シェル体は突合せて締結され、２つの前記シェル体１１１のロック解除材収容溝１１１１１が前記ロック解除材収容室を形成し、２つの前記シェル体１１１の２つの収容段１１１２の２つの収容溝１１１２１が前記収容室を形成し、２つの前記シェル体１１１の２つの収容段１１１２の２つの切欠き１１１２２が前記収容室の２つの前記係止溝を形成し、２つの前記シェル体１１１の凹溝が前記通路を形成する。
【００２３】
図１、図２及び図３に示されている通り、前記嵌合締結材１２は、嵌合リング１２１及びケーブル締結材１２２を含み、前記嵌合リング１２１は、内周面及び外周面を有し、かつ、係止リング当接部１２１１及び枢接部１２１２を含み、前記係止リング当接部１２１１は前記嵌合リング１２１の内周面に環形に凸設され、前記枢接部１２１２は前記嵌合リング１２１の外周面に設けられ、前記ケーブル締結材１２２は前記枢接部１２１２に枢接され、前記嵌合締結材１２は２つの前記シェル体１１１の嵌合段１１１３に嵌合され、前記係止リング１３は、２つの前記シェル体１１１のリング係止溝１１１３１に嵌合され、かつ、前記嵌合リング１２１の係止リング当接部１２１１に当接し、前記ガスケット１４は、２つの前記シェル体１１１の嵌合段１１１３の端部に締結され、かつ、通過孔を有し、前記ケーブル１５は前記嵌合締結材１２のケーブル締結材１２２に結合する。
【００２４】
図１、図２及び図３に示されている通り、前記暗証番号セット２０は、複数の数字リング及び複数の内スリーブが軸方向に組み合わされてなり、暗証番号セット２０の構造及び動作原理は公知の技術であるため、ここではこれ以上記述しない。
【００２５】
図２、図３及び図４に示されている通り、前記駆動材３０は、ロッド体３１及び回転盤３２を含み、前記ロッド体３１は、前記暗証番号セット２０に貫設され、かつ、前記暗証番号セット２０から突出した端部を有し、前記回転盤３２は、同軸で前記ロッド体３１の端部に接続設置され、かつ、周面及び側面を有し、前記回転盤３２の側面と前記ロッド体とは前記回転盤３２の反対側に設けられ、前記回転盤３２は、結合部３２１、４つの第１係合部３２２及び２つの係止ブロック３２３を含み、前記結合部３２１は、短柱状を呈し、かつ、前記回転盤３２の軸心箇所に設けられ、前記結合部３２１は挟持溝３２１１を含み、前記挟持溝３２１１は、貫通方向に沿って延伸して前記結合部３２１の対向する両側を貫通し、４つの前記第１係合部３２２は２つずつ対向して前記回転盤３２の側面に凹設され、各第１係合部３２２は、互いに９０°離隔し、かつ、前記回転盤３２の周面から前記結合部３２１まで延伸し、対向する２つの前記第１係合部３２２の設置方向は前記挟持溝３２１１の貫通方向と同一であり、２つの前記係止ブロック３２３は、前記回転盤３２の周面の対向する両側に凸設され、かつ、前記挟持溝３２１１の貫通方向と同一であり、前記回転盤３２は前記収容シェル１１の収容室に装設され、前記回転盤３２の２つの前記係止ブロック３２３と前記収容室の周壁の２つの前記係止溝とが互いに係合する。
【００２６】
図２、図３及び図４に示されている通り、前記圧縮バネ４０は両端を有し、前記圧縮バネ４０は、前記収容シェル１１の内部に装設され、かつ、前記ロッド体３１を貫通し、前記圧縮バネ４０は、一端が前記暗証番号セット２０に当接し、かつ、他端が前記回転盤３２に当接する。
【００２７】
図２、図３及び図４に示されている通り、前記係止材５０は両端を有し、前記係止材５０は、連接ロッド５１、係止ブロック５２及び挟持ブロック５３を含み、前記係止ブロック５２及び前記挟持ブロック５３は前記係止材５０の両端に設けられ、前記係止ブロック５２及び前記挟持ブロック５３は、いずれも矩形のブロック体であり、かつ、両者の間が前記連接ロッド５１により連結され、前記係止ブロック５２と前記連接ロッド５１とがＴ字形構造を形成し、前記係止材５０は前記収容シェル１１の内部に装設され、前記係止材５０の挟持ブロック５３は前記挟持溝３２１１に装設され、かつ、前記係止ブロック５２が設置された一端が前記収容シェル１１から突出する。
【００２８】
図２、図４及び図５に示されている通り、２つの前記係合材６０の構造は対称であり、各係合材６０は、両端及び突合せ面６０１を有し、かつ、一端が前記回転盤３２を向き、各係合材６０は、スラスト当接段６１、接続段６２、位置制限柱６３及び収容溝６４を含み、前記スラスト当接段６１は、前記係合材６０の前記回転盤３２を向いた一端に設けられ、かつ、両端及び前記回転盤３２に面した端面を有し、前記スラスト当接段６１は、第２係合部６１１、収容溝６１２、識別マーク６１３、係止柱６１４及び係止孔６１５を含み、前記第２係合部６１１は、前記回転盤３２の第１係合部３２２に対応して設置され、かつ、前記スラスト当接段６１の端面に凸設され、前記収容溝６１２は、前記回転盤３２の結合部３２１に対応して設置され、かつ、前記スラスト当接段６１の端面から凹設され、前記識別マーク６１３は、前記シェル体１１１の収容段１１１２の視認窓１１１２３に対応して設置され、かつ、識別用の顔料が塗着され、前記係止柱６１４及び前記係止孔６１５は前記収容溝６１２の両側に設けられ、前記係止柱６１４は前記係合材６０の突合せ面６０１から凸設され、前記係止孔６１５は前記係合材６０の突合せ面６０１から凹設され、前記接続段６２は、前記スラスト当接段６１の前記第２係合部６１１から離間した一端に接続設置され、かつ、端面を有し、前記位置制限柱６３は前記接続段６２の端面から凸設され、前記収容溝６４は、前記係合材６０の突合せ面６０１に凹設され、かつ、前記スラスト当接段６１の収容溝６１２に連通するとともに、前記位置制限柱６３まで延伸し、２つの前記係合材６０は、前記収容シェル１１の内部に装設されるとともに、前記係止材５０の両側に位置合わせし、２つの前記係合材６０の係止柱６１４と係止孔６１５とが互いに係合し、前記係止材５０の連接ロッド５１は２つの前記係合材６０の収容溝６４に収容され、２つの前記係合材６０の２つの第２係合部６１１が前記回転盤３２の対向する２つの第１係合部３２２に係合し、２つの前記係合材６０の位置制限柱６３が、前記係止ブロック５２と平行、かつ、前記係止ブロック５２に近接して前記連接ロッド５１の一方の側を向いている。
【００２９】
図３及び図４に示されている通り、前記ロック解除材７０は、前記収容シェル１１のロック解除材収容溝１１１１１に装設される。
【００３０】
図３、図６及び図７に示されている通り、２つの前記シェル体１１１の２つの収容段１１１２の２つの切欠き１１１２２が前記収容室の２つの前記係止溝を形成し、前記駆動材３０の回転盤３２の２つの前記係止ブロック３２３が２つの前記シェル体１１１の収容室の２つの前記係止溝に係合し、図４及び図８に示されている通り、前記暗証番号セット２０がロック解除状態にあると、前記駆動材３０は、前記圧縮バネ４０を圧縮するとともに、前記ロック解除材７０の方向に移動させることができ、その際、２つの前記係合材６０の２つの前記第２係合部６１１が前記回転盤３２の対向する２つの前記第１係合部３２２に係合し、かつ、２つの前記係合材６０の位置制限柱６３が、前記係止ブロック５２と平行、かつ、前記係止ブロック５２に近接して前記連接ロッド５１の一方の側を向き、図７、図８及び図９に示されている通り、ノート型パソコンをロックする場合、ユーザは、先ず、平行を呈する係止ブロック５２と２つの位置制限柱６３を、ノート型パソコンＡに設けられたロック孔Ａ１に貫設し、ユーザが前記収容シェル１１を回転すると、２つの前記係止溝が前記回転盤３２を率いて回動させ、かつ、同時に前記係止材５０を率いて回動させ、２つの前記係合材６０のスラスト当接段６１が前記ハウジング１１の当接を受けるため、前記回転盤３２が回動すると、２つの前記係合材６０の２つの前記第２係合部６１１が凹入した２つの前記第１係合部３２２から脱離して、前記駆動材３０を前記ロック解除材７０の方向に押動し、かつ、前記圧縮バネ４０を圧縮する。
【００３１】
図１０及び図１１に示されている通り、２つの前記係合材６０の２つの前記第２係合部６１１が凹入した２つの前記第１係合部３２２に再度係合すると、前記駆動材３０が前記圧縮バネ４０のスラスト当接を受けて復帰し、２つの前記係合材６０の位置制限柱６３と前記係止ブロック５２とが垂直状態を呈するため、本考案のロック具は前記係止ブロック５２により前記ノート型パソコンＡのロック孔Ａ１の内壁に係止することができ、その際、２つの前記係合材６０の識別マーク６１３がそれぞれアラインメントし、かつ、２つの前記シェル体１１１の視認窓１１１２３に表示され、ユーザに前記係止材５０の係止ブロック５１の方向を識別させ、最後に、ユーザが前記暗証番号セット２０の数字リングを回転するだけで、前記暗証番号セット２０がロック状態となり、その際、前記駆動材３０は前記ロック解除材７０の方向に移動することができず、同時に、２つの前記第２係合部６１１が２つの前記第１係合部３２２に係合しているため、前記ハウジング１１を回動することができず、ロック効果が達成される。
【００３２】
従来のロック具に比べ、本考案のロック具は、部品数量が比較的少なく、構造も比較的簡単であるため、材料の出費または組立時間をいずれも大幅に削減可能であり、本考案の製造コストは低下し、市場における競争力が高まる。
【符号の説明】
【００３３】
１０：ハウジングセット
１１：収容シェル
１１１：シェル体
１１１１：装設段
１１１１１：ロック解除材収容溝
１１１２：収容段
１１１２１：収容溝
１１１２２：切欠き
１１１２３：視認窓
１１１３：嵌合段
１１１３１：リング係止溝
１２：嵌合締結材
１２１：嵌合リング
１２１１：係止リング当接部
１２１２：枢接部
１２２：ケーブル締結材
１３：係止リング
１４：ガスケット
１５：ケーブル
２０：暗証番号セット
３０：駆動材
３１：ロッド体
３２：回転盤
３２１：結合部
３２１１：挟持溝
３２２：第１係合部
３２３：係止ブロック
４０：圧縮バネ
５０：係止材
５１：連接ロッド
５２：係止ブロック
５３：挟持ブロック
６０：係合材
６０１：突合せ面
６１：スラスト当接段
６１１：第２係合部
６１２：収容溝
６１３：識別マーク
６１４：係止柱
６１５：係止孔
６２：接続段
６３：位置制限柱
６４：収容溝
７０：ロック解除材
８０：ロック具
８１：本体
８２：ケーブル
Ａ：ノートパソコン
Ａ１：ロック孔
【図１】
0003206328.tif 000003
【図２】
0003206328.tif 000004
【図３】
0003206328.tif 000005
【図４】
0003206328.tif 000006
【図５】
0003206328.tif 000007
【図６】
0003206328.tif 000008
【図７】
0003206328.tif 000009
【図８】
0003206328.tif 000010
【図９】
0003206328.tif 000011
【図１０】
0003206328.tif 000012
【図１１】
0003206328.tif 000013
【図１２】
0003206328.tif 000014